(57)【要約】【課題】係合部材と係合溝との係り量を安定させ、送風ファンの抜け止めをより確実に行ない得る送風ファン装置を提供する。【解決手段】回転軸２５の外周部に形成した係合溝２６と、送風ファン３０に設けられ係合溝２６に係合して送風ファン３０の抜け止めをなす平板状の係合部材４０と、押圧操作により係合部材４０を移動可能にする押釦６０と、係合部材４０の先端部４１に当接する平板状の板ばね５０とを具備し、押釦６０を押圧操作することにより、係合部材４０の係合孔４２が回転軸２５の係合溝２６から外れるように形成する。【選択図】    図４
2010048203.tif 000002
【特許請求の範囲】
【請求項１】
回転軸に送風ファンを着脱自在に取り付ける送風ファン装置において、
前記回転軸に設けられた回転伝達部と、
前記回転軸の外周部に形成した係合溝と、
前記送風ファンに設けられ、前記回転軸への挿入により前記回転伝達部に係合する被回転伝達部と、
前記回転軸と直交して前記送風ファンに設けられた平板状の係合部材と、
前記係合部材に設けられ、前記係合溝に係合して前記送風ファンの抜け止めをなす係合孔と、
前記係合部材の先端側に配置されたばね部材と、
押圧操作により前記係合部材を前記ばね部材の付勢力に抗して前記係合部材の回転軸に直交する方向に移動させ、前記係合孔と前記係合溝との係合を解除する操作部材とを具備することを特徴とする送風ファン装置。
【請求項２】
前記係合部材の前記係合孔が、前記係合部材の先端方向に向けて細まるテーパ形状であることを特徴とする請求項１に記載の送風ファン装置。
【請求項３】
前記係合部材に設けられた第２の係合孔と、
前記送風ファンに設けられ、前記第２の係合孔と係合する第２の係合部材と、
前記第２の係合部材に設けられ、前記係合部材が抜け止めをなしている状態で操作により前記第２の係合孔に前記第２の係合部材を係合させる第２の操作部材とを具備することを特徴とする請求項１に記載の送風ファン装置。
【請求項４】
回転軸に送風ファンを着脱自在に取り付ける送風ファン装置において、
前記回転軸に設けられた回転伝達部と、
前記回転軸の外周部に形成した係合溝と、
前記送風ファンに設けられ、前記回転軸への挿入により前記回転伝達部に係合する被回転伝達部と、
前記回転軸と平行に設けられた支点軸を回動軸として開閉動作する平板状の第１の半係合部材及び平板状の第２の半係合部材と、
前記第１の半係合部材の前記第２の半係合部材側に設けられ、前記係合溝に係合して前記送風ファンの抜け止めをなす第１の切欠と、
前記第２の半係合部材の前記第１の半係合部材側に設けられ、前記係合溝に係合して前記送風ファンの抜け止めをなす第２の切欠と、
前記第１の半係合部材と前記第２の半係合部材とにわたって設けられ、前記第１の半係合部材及び前記第２の半係合部材を閉じる方向に付勢するばね部材と、
押圧操作により閉じた状態の前記第１の半係合部材及び前記第２の半係合部材を前記ばね部材の付勢力に抗して開き、前記第１の切欠及び前記第２の切欠を前記回転軸の前記係合溝から外す操作部材とを具備したことを特徴とする送風ファン装置。
【発明の詳細な説明】
【技術分野】
【０００１】
本発明は、回転軸に形成した係合溝に送風ファンに設けた平板状の係合部材を係合させて送風ファンを回転軸に抜け止め状態に装着する構成の送風ファン装置に関し、特に送風ファンの抜け止めをより確実に行ない得るようにしたものに関する。
【背景技術】
【０００２】
例えば換気扇等の送風ファン装置において、駆動モータと送風ファンとの着脱操作の容易化を図ったものが知られている（例えば、特許文献１参照）。これは図１０，１１に示すように駆動モータ２００の回転軸２０１の外周部に係合溝２０２を形成すると共に、送風ファン２１０に、係合部材２２０を設けたものとなっている。係合部材２２０は、一対のばね線部２２１を有した二股状に形成され、その基端側に操作部材としてのプラスチック製の押釦２２２が設けられている。また送風ファン２１０には一対のばね線部２２１を拡開させるためのテーパ面２３１を有する拡開部２３０が設けられている。なお、図１０中２４０はボス部、２４１はボス部の凹部、２０３はピンを示している。
【０００３】
このような送風ファン装置では、ピン２０３をボス部２４０の凹部２４１に係合させることで、回転力を伝達させている。また、ばね線部２２１をその縮小方向のばね力により係合溝２０２に係合させて送風ファン２１０を回転軸２０１に抜け止め状態に装着し、押釦２２２をばね線部２２１の先端方向に移動操作することにより、ばね線部２２１の両端部が拡開部２３０のテーパ面２３１を摺動して拡開し、係合溝２０２から外れるように構成されている。
【特許文献１】実公平３−４１１１５号公報
【発明の開示】
【発明が解決しようとする課題】
【０００４】
上述した送風ファン装置では、次のような問題があった。すなわち、係合溝２０２と係合するばね線部２２１が線材であることから、係合部材であるばね線部２２１と係合溝２０２との係り量が安定しない。そのため、何らかの理由で送風ファン２１０に抜け方向の力が作用した場合に、取付状態が不完全であったりすると、ばね線部２２１が係合溝２０２から抜け外れ、送風ファン２１０が回転軸２０１から脱落するおそれがある。
【０００５】
そこで本発明は、係合部材と係合溝との係り量を安定的に多くし、送風ファンの抜け止めをより確実に行ない得る送風ファン装置を提供することを目的としている。
【課題を解決するための手段】
【０００６】
前記課題を解決し目的を達成するために、本発明の送風ファン装置は次のように構成されている。
【０００７】
回転軸に送風ファンを着脱自在に取り付ける送風ファン装置において、前記回転軸に設けられた回転伝達部と、前記回転軸の外周部に形成した係合溝と、前記送風ファンに設けられ、前記回転軸への挿入により前記回転伝達部に係合する被回転伝達部と、前記回転軸と直交して前記送風ファンに設けられた平板状の係合部材と、前記係合部材に設けられ、前記係合溝に係合して前記送風ファンの抜け止めをなす係合孔と、前記係合部材の先端側に配置されたばね部材と、押圧操作により前記係合部材を前記ばね部材の付勢力に抗して前記係合部材の回転軸に直交する方向に移動させ、前記係合孔を前記係合溝から外す操作部材とを具備することを特徴とする。
【０００８】
または、回転軸に送風ファンを着脱自在に取り付ける送風ファン装置において、前記回転軸に設けられた回転伝達部と、前記回転軸の外周部に形成した係合溝と、前記送風ファンに設けられ、前記回転軸への挿入により前記回転伝達部に係合する被回転伝達部と、前記回転軸と平行に設けられた支点軸を回動軸として開閉動作する平板状の第１の半係合部材及び平板状の第２の半係合部材と、前記第１の半係合部材の前記第２の半係合部材側に設けられ、前記係合溝に係合して前記送風ファンの抜け止めをなす第１の切欠と、前記第２の半係合部材の前記第１の半係合部材側に設けられ、前記係合溝に係合して前記送風ファンの抜け止めをなす第２の切欠と、前記第１の半係合部材と前記第２の半係合部材とにわたって設けられ、前記第１の半係合部材及び前記第２の半係合部材を閉じる方向に付勢するばね部材と、押圧操作により閉じた状態の前記第１の半係合部材及び前記第２の半係合部材を前記ばね部材の付勢力に抗して開き、前記第１の切欠及び前記第２の切欠を前記回転軸の前記係合溝から外す操作部材とを具備したことを特徴とする。
【発明の効果】
【０００９】
本発明によれば、係合部材と係合溝との係り量を安定的に多くし、送風ファンの抜け止めをより確実に行なうことが可能となる。
【発明を実施するための最良の形態】
【００１０】
図１は本発明の第１の実施形態に係る換気扇（送風ファン装置）１０の概略構成を示す縦断面図、図２は同換気扇１０における係合状態の要部を示す背面図、図３は同換気扇１０における解放状態の要部を示す背面図、図４は同換気扇１０における要部を一部切欠して示す斜視図である。
【００１１】
換気扇１０は、壁等に固定される本体２０と、この本体２０に着脱自在に取り付けられる送風ファン３０とを備えている。
【００１２】
本体２０は、矩形状の外枠２１を備えており、この外枠２１の室内側にはベルマウス２２、室外側には風圧開放式のシャッタ２３が取り付けられている。外枠２１の中央部には駆動モータ２４が取り付けられている。駆動モータ２４には、送風ファン３０を着脱可能に取り付けられる回転軸２５が設けられている。
【００１３】
送風ファン３０は、円筒状の羽根基部３１の外周部に羽根片３２を放射状に突設してなるもので羽根基部３１の中心部には、回転軸２５に嵌合される嵌合孔３３ａを有した段付円筒状のボス部３３が突設されている。図４に示すように、このボス部３３の先端面には、凹部（被回転伝達部）３４が形成されていて、送風ファン３０が回転軸２５に装着されると、凹部３４が回転軸２５に固着したピン（回転伝達部）２５ａの両端部に係合するように構成されている。そしてこの凹部３４とピン２５ａとの係合により、回転軸２５から送風ファン３０への回転伝達を行なう機能を有している。
【００１４】
回転軸２５は、外周部に係合溝２６が形成されており、先端にテーパ状の軸先端２５ｂが形成されている。また、送風ファン３０には、平板状の係合部材４０と、係合部材４０の先端部４１に当接する板ばね（ばね部材）５０と、板ばね５０の両端で板ばね５０を係合部材４０の長手方向に直交する幅方向の長さよりも大きい間隔で固定する一対の固定部３６とが設けられている。
【００１５】
図２，３に示すように、係合部材４０は、滑らかなテーパ状の先端部４１と、係合溝２６の断面の直径より大きく、回転軸２５の断面の直径より小さい直径を有する円形の孔である係合部分４２ａと、係合部分４２ａに対し先端部４１の反対側に位置し、回転軸２５の断面の直径よりもわずかに大きい直径を有する円形の孔である解放部分４２ｂの一部分とが重なり合った形状を有する係合孔４２とを有している。係合孔４２の係合部分４２ａは、係合溝２６に係合し回転軸２５の軸線方向への移動を規制する。係合孔４２の解放部分４２ｂは、回転軸２５が容易に挿通する。
【００１６】
係合部材４０の先端部４１と反対側の端部には、プラスチック製の押釦（操作部材）６０が設けられている。押釦６０は押圧操作を受けると、係合部材４０を先端部４１方向に移動させる。
【００１７】
板ばね５０は係合部材４０の先端部４１に当接しており、先端部４１に押圧されると逆方向へ付勢する。
【００１８】
係合部材４０は押釦６０の操作等により、係合部分４２ａが嵌合孔３３ａと同心上に位置する係合状態と、解放部分４２ｂが嵌合孔３３ａと同心上に位置する解放状態とに移動する。係合部材４０は、通常は板ばね５０の付勢により係合状態に位置し、押釦６０を押圧操作すると解放状態に移動する。
【００１９】
このように構成された本体２０と送風ファン３０との着脱方法について説明する。送風ファン３０の取付時は、押釦６０を押圧操作し、係合部材４０を解放状態に移動させる。その状態でボス部３３側から嵌合孔３３ａへ回転軸２５を挿入してゆく。係合部材４０は解放状態にあるので、回転軸２５を係合孔４２の解放部分４２ｂに容易に挿入することができる。
【００２０】
解放部分４２ｂに回転軸２５を挿入し、係合孔４２と係合溝２６が同位置となった状態で押釦６０の押圧操作を解除すると、板ばね５０の付勢により係合部材４０が係合状態となる。すなわち、係合溝２６に係合孔４２の係合部分４２ａが係合する。同時に、凹部３４がピン２５ａの両端部に係合する。これにより、板ばね５０の付勢により係合孔４２の係合部分４２ａが係合溝２６に係合することで、送風ファン３０を回転軸２５に抜け止め状態に装着することとなる。
【００２１】
したがって、係合部材４０により、送風ファン３０の抜け止めが行なわれる。また、凹部３４がピン２５ａの両端部に係合することにより、回転軸２５から送風ファン３０への回転伝達が可能となる。
【００２２】
送風ファン３０を取り外す際は、押釦６０を押圧操作し、係合部材４０を解放状態に移動させ、係合部分４２ａと係合溝２６の係合を解除する。回転軸２５と係合孔４２の解放部分４２ｂが同心上にある状態で送風ファン３０を回転軸２５の先端方向へ引き抜くことにより、送風ファン３０が回転軸２５から外れる。
【００２３】
上述したように係合部材４０は平板状の部材であり、その係合部材４０に設けられた係合孔４２の係合部分４２ａが係合溝２６と係合する。平板状の係合部材４０は、線材を用いた場合よりも係合溝２６との係り量が安定し多いので、送風ファン３０が回転軸２５から不用意に脱落することを確実に防止できる。
【００２４】
また、もし上記取付時に係合溝２６に係合部分４２ａが完全に係合していない場合は、押釦６０の押圧操作を解除しても係合部分４２ａの縁が回転軸２５又は軸先端２５ｂの外周に当接し、係合部材４０は解放状態のままである。すなわち、押釦６０は押圧操作している状態と同じく送風ファン３０内へ押し込まれた状態で停止しているので、操作者は取付が不完全であることを認識することができ、送風ファン３０の回転軸２５への取付が確実となる。
【００２５】
図５は本発明の第２の実施形態に係る換気扇１０Ａにおける係合部材４０の係合孔４２を示す正面図である。なお、この図において、図１〜図４と同一機能部分には同一符号を付し、その詳細な説明は省略する。
【００２６】
本実施の形態に係る換気扇１０Ａでは、係合部材４０の係合孔４２は、係合孔４２の係合部分４２ａと解放部分４２ｂとの間にわたって縁部４２ｃが設けられ、テーパ状となっている形状の孔である。すなわち、係合孔４２は、係合部分４２ａ及び解放部分４２ｂが形成する円弧状の縁と、当該縁をつなぐ係合部材４０の先端部４１方向に向けて細まる縁部４２ｃとにより形成される。
【００２７】
本実施の形態に係る換気扇１０Ａによれば、第１の実施形態と同様に押釦６０を押圧操作して係合部材４０を解放状態に移動させ送風ファン３０を回転軸２５に取り付ける方法に加え、次のような方法でも送風ファン３０を容易に回転軸２５に取り付けることができる。
【００２８】
送風ファン３０を回転軸２５に取り付けるとき、ボス部３３側から送風ファン３０の嵌合孔３３ａを回転軸２５に押し込んでゆく。係合部材４０は係合状態にあるので、回転軸２５を挿入してゆくと、軸先端２５ｂの長手方向半ばの部分が係合部分４２ａの縁に当接する。その状態でさらに押し込むと、テーパ状の軸先端２５ｂが係合部分４２ａの縁を係合部材４０の先端部４１方向に押圧する。板ばね５０の弾力以上の力で軸先端２５ｂが係合部分４２ａの縁を押圧すると、軸先端２５ｂは係合部材４０を先端部４１方向に移動させる。
【００２９】
係合部材４０を解放状態まで移動させ、回転軸２５をさらに押し込むと、嵌合孔３３ａ及び回転軸２５と同心上にある解放部分４２ｂに回転軸２５が挿通される。解放部分４２ｂに回転軸２５を挿入し、係合孔４２と係合溝２６が同位置となると、板ばね５０の付勢により係合部材４０が係合状態となる。すなわち、係合溝２６に係合孔４２の係合部分４２ａが係合する。同時に、凹部３４がピン２５ａの両端部に係合する。これにより、板ばね５０の付勢により係合孔４２の係合部分４２ａが係合溝２６に係合することで、送風ファン３０を回転軸２５に抜け止め状態に装着することとなる。
【００３０】
このように、送風ファン３０を回転軸２５に取り付けるとき、送風ファン３０を回転軸２５に押し込むだけの簡単な操作で係合部分４２ａが係合溝２６に滑らかに係合し、送風ファン３０を回転軸２５に取り付けることができるため取付作業性が向上する。
【００３１】
図６は本発明の第３の実施の形態に係る換気扇１０Ｂの係合状態における要部の一部を切欠して示す斜視図、図７は換気扇１０Ｂの非係合状態における要部の一部を切欠して示す斜視図である。なお、これらの図において、図１〜図４と同一機能部分には同一符号を付し、その詳細な説明は省略する。
【００３２】
本実施の形態に係る換気扇１０Ｂでは、係合部材４０は矩形状の孔である第２の係合孔８０を有している。送風ファン３０は羽根基部３１に設けられた挿通孔３８と、第２の係合部材９０とを有している。
【００３３】
第２の係合孔８０は、係合状態において第２の係合部材９０の直下に位置する場所に設けられている。
【００３４】
第２の係合部材９０は羽根基部３１の外側に設けられたつまみ（第２の操作部材）９１と、つまみ９１から延びて挿通孔３８に挿通する軸９２と、羽根基部３１内において軸９２の先端に設けられた係合片９３とを有している。係合片９３は第２の係合孔８０に挿通可能な形状の部材であり、上面９３ａは第２の係合孔８０と同様の矩形である。第２の係合部材９０は挿通孔３８において、軸９２の範囲で長手方向に上下移動可能である。
【００３５】
第２の係合部材９０は、係合状態において係合片９３を第２の係合孔８０に挿通可能であり、つまみ９１をひねることで軸９２を中心軸として回転することが可能である。
【００３６】
本実施の形態に係る換気扇１０Ｂは、送風ファン３０と回転軸２５とを次のように着脱する。送風ファン３０の取付時は、第１の実施形態または第２の実施形態と同様に送風ファン３０を回転軸２５に取り付けた状態で、係合片９３が第２の係合孔８０に挿通できる向きにつまみ９１を回転させ、第２の係合部材９０を押し込む。つまみ９１が羽根基部３１に当接するまで第２の係合部材９０を押し込むと、係合片９３が第２の係合孔８０に挿通する。
【００３７】
係合片９３が第２の係合孔８０に挿通した状態でつまみ９１を９０°回転させると係合片９３も回転する。これにより、上面９３ａが係合部材４０に引っかかり、係合片９３が第２の係合孔８０に係合する。この状態では、係合片９３及び軸９２が第２の係合孔８０に挿通されているので、係合部材４０が係合状態で固定される。
【００３８】
送風ファン３０を取り外す際は、係合片９３が第２の係合孔８０に挿通できる向きにつまみ９１を回転させ、第２の係合部材９０を引き上げる。第２の係合部材９０を引き上げると、係合片９３が第２の係合孔８０から引き抜かれる。これにより第２の係合部材９０と第２の係合孔８０の係合が解除されるため、押釦６０の押圧操作で係合部材４０を解放状態に移動することで、送風ファン３０を回転軸２５から取り外すことができる。
【００３９】
また、もし上記取付時に係合溝２６に係合部分４２ａが完全に係合していない場合は、第２の係合孔８０が第２の係合部材９０の直下とずれた位置にあるので、第２の係合部材９０を押し込んでも、係合片９３は係合部材４０に衝突して止まる。すなわち、つまみ９１が羽根基部３１から浮いた状態であるため、操作者は取付が不完全であることを認識することができる。
【００４０】
これにより、送風ファン３０の取付を確実にでき、送風ファン３０が回転軸２５から不用意に脱落することを確実に防止できる。
【００４１】
図８は本発明の第４の実施の形態に係る換気扇１０Ｃの係合状態を示す要部の背面図、図９は本発明の第４の実施の形態に係る換気扇１０Ｃの解放状態を示す要部の背面図である。なお、これらの図において、図１〜図４と同一機能部分には同一符号を付し、その詳細な説明は省略する。
【００４２】
送風ファン３０には、第１の実施形態における係合部材４０に代わる係合機構１００と、係合機構１００に当接するテーパ部６２を有する押釦６０とが設けられている。
【００４３】
係合機構１００は、第１の切欠１０５を有する平板状の第１の半係合部材１０１と、第２の切欠１０６を有する平板状の第２の半係合部材１０２と、回転軸２５と平行に設けられ第１の半係合部材１０１及び第２の半係合部材１０２をそれぞれ回転軸に直交する平面内において開閉運動可能に支持する支点軸１０３と、第１の半係合部材１０１と第２の半係合部材１０２とにわたって設けられたコイルばね１０４とを有している。
【００４４】
第１の半係合部材１０１及び第２の半係合部材１０２は、コイルばね１０４によって第１の半係合部材１０１及び第２の半係合部材１０２が閉じる方向にそれぞれ付勢されている。押釦６０を押圧操作すると、押釦６０のテーパ部６２によって第１の半係合部材１０１及び第２の半係合部材１０２の間がコイルばね１０４の付勢力に抗して押し開かれる。第１の半係合部材１０１及び第２の半係合部材１０２が押し開かれた状態において、第１の半係合部材１０１及び第２の半係合部材１０２の間の隙間は回転軸２５が容易に挿通できる広さを有している。
【００４５】
第１の切欠１０５及び第２の切欠１０６は第１の半係合部材１０１及び第２の半係合部材１０２に設けられた半円状の切欠で、第１の半係合部材１０１及び第２の半係合部材１０２が閉じた状態において、回転軸２５に設けられた係合溝２６の断面の直径よりも大きく回転軸２５の断面の直径よりも小さい直径を有する円形の孔を形成する切欠である。
【００４６】
係合機構１００の第１の半係合部材１０１及び第２の半係合部材１０２は押釦６０の操作等により、第１の半係合部材１０１及び第２の半係合部材１０２が閉じている係合状態と、第１の半係合部材１０１及び第２の半係合部材１０２が押し開かれている解放状態とに移動する。係合機構１００は、通常はコイルばね１０４の付勢により係合状態に位置し、押釦６０を押圧操作すると解放状態に移動する。
【００４７】
このように構成された回転軸２５と送風ファン３０との着脱方法について説明する。送風ファン３０の取付時は、押釦６０を押圧操作し、係合機構１００の第１の半係合部材１０１及び第２の半係合部材１０２を解放状態に移動させる。その状態でボス部３３側から嵌合孔３３ａへ回転軸２５を挿通してゆく。係合機構１００は解放状態にあるので、回転軸２５を第１の半係合部材１０１及び第２の半係合部材１０２の間の隙間に容易に挿通することができる。
【００４８】
第１の半係合部材１０１及び第２の半係合部材１０２の間の隙間に回転軸２５を挿通し、第１の切欠１０５及び第２の切欠１０６と係合溝２６が同位置となった状態で押釦６０の押圧操作を解除すると、コイルばね１０４の付勢により第１の半係合部材１０１及び第２の半係合部材１０２が係合状態となる。すなわち、係合溝２６に第１の切欠１０５及び第２の切欠１０６が係合する。同時に、凹部３４がピン２５ａの両端部に係合する。
【００４９】
これにより、コイルばね１０４の付勢により第１の半係合部材１０１及び第２の半係合部材１０２が係合溝２６に係合することで、送風ファン３０を回転軸２５に抜け止め状態に装着することとなる。
【００５０】
したがって、係合機構１００により、送風ファン３０の抜け止めが行なわれる。また、凹部３４がピン２５ａの両端部に係合することにより、回転軸２５から送風ファン３０への回転伝達が可能となる。
【００５１】
送風ファン３０を取り外す際は、押釦６０を押圧操作し、係合機構１００の第１の半係合部材１０１及び第２の半係合部材１０２を解放状態に移動させ、第１の切欠１０５及び第２の切欠１０６と係合溝２６の係合を解除する。第１の半係合部材１０１及び第２の半係合部材１０２が押し開かれた状態で送風ファン３０を回転軸２５の先端方向へ引き抜くことにより送風ファン３０が回転軸２５から外れる。
【００５２】
上述したように第１の半係合部材１０１及び第２の半係合部材１０２は平板状の部材であり、その第１の半係合部材１０１及び第２の半係合部材１０２に設けられた第１の切欠１０５及び第２の切欠１０６が係合溝２６に係合する。第１の切欠１０５及び第２の切欠１０６は係合溝２６の全周面にわたって係合溝２６と係合しているので、線材を用いた場合よりも係合溝２６との係り量が安定して多いので、送風ファン３０が回転軸２５から不用意に脱落することを確実に防止することができる。
【００５３】
なお、本発明は前記実施形態に限定されるものではない。例えば前記実施形態では送風ファン装置として換気扇について説明したが、本発明は扇風機にも適用することができる。
【００５４】
この他、本発明の要旨を逸脱しない範囲で種々変形実施可能であるのは勿論である。
【図面の簡単な説明】
【００５５】
【図１】本発明の第１の実施の形態に係る換気扇の概略構成を示す縦断面図。
【図２】同換気扇の係合状態における要部を示す背面図。
【図３】同換気扇の解放状態における要部を示す背面図。
【図４】同換気扇の要部の斜視断面図。
【図５】本発明の第２の実施形態における係合部材を示す正面図。
【図６】本発明の第３の実施形態において係合状態における要部の斜視図。
【図７】同換気扇の非係合状態における要部を示す斜視図。
【図８】本発明の第４の実施形態において係合状態における要部の背面図。
【図９】同換気扇の解放状態における要部の背面図。
【図１０】従来の換気扇を示す縦断面図。
【図１１】同換気扇の要部を示す背面図。
【符号の説明】
【００５６】
１０…換気扇，２５…回転軸，２６…係合溝，３０…送風ファン，４０…係合部材，４２…係合孔，５０…板ばね，６０…押釦。
【図１】
2010048203.tif 000003
【図２】
2010048203.tif 000004
【図３】
2010048203.tif 000005
【図４】
2010048203.tif 000006
【図５】
2010048203.tif 000007
【図６】
2010048203.tif 000008
【図７】
2010048203.tif 000009
【図８】
2010048203.tif 000010
【図９】
2010048203.tif 000011
【図１０】
2010048203.tif 000012
【図１１】
2010048203.tif 000013